(57)【特許請求の範囲】
【請求項１】
放送番組を受信する受信手段と、
前記受信手段で受信した前記放送番組を記録し、記録した放送番組を再生する記録再生手段と、
前記受信手段で受信した前記放送番組、前記記録再生手段で再生された前記放送番組をユーザーに提供する番組提供手段と、
少なくとも前記放送番組の特徴、放送チャンネル、放送時間を示す番組表情報を取得する番組表情報取得手段と、
前記番組表情報取得手段で取得した前記番組表情報を記録して保持する番組表情報の記録手段と、
各部の動作を制御する制御手段とを備え、
前記制御手段は、
ユーザーにより指示されたユーザー指示の放送番組の前記番組表情報により、前記番組表情報の記録手段に記録した番組表情報を検索して、前記ユーザー指示の放送番組と内容が連続する放送番組を検出し、
前記ユーザー指示の放送番組を、該検出した連続する放送番組を選択するメニューと共に前記番組提供手段により表示し、
前記メニューの選択により、該選択に係る放送番組を、前記記録再生手段より再生して前記番組提供手段により提供し、又は前記記録再生手段により記録するように前記番組表情報の記録手段に記録した対応する番組表情報によりタイマー録画を設定する
ことを特徴とする番組管理装置。
【請求項２】
放送番組を受信する受信手段と、
前記受信手段で受信した前記放送番組を記録し、記録した放送番組を再生する記録再生手段と、
前記受信手段で受信した前記放送番組、前記記録再生手段で再生された前記放送番組をユーザーに提供する番組提供手段と、
少なくとも前記放送番組の特徴、放送チャンネル、放送時間を示す番組表情報を取得する番組表情報取得手段と、
前記番組表情報取得手段で取得した前記番組表情報を記録して保持する番組表情報の記録手段と、
各部の動作を制御する制御手段とを備えた番組管理装置における番組管理方法であって、
ユーザーにより指示されたユーザー指示の放送番組の前記番組表情報により、前記番組表情報の記録手段に記録した番組表情報を検索して、前記ユーザー指示の放送番組と内容が連続する放送番組を検出する放送番組の検出ステップと、
前記ユーザー指示の放送番組を、該検出した連続する放送番組を選択するメニューと共に前記番組提供手段により表示する表示のステップと、
前記メニューの選択により、該選択に係る放送番組を、前記記録再生手段より再生して前記番組提供手段により提供し、又は前記記録再生手段により記録するように前記番組表情報の記録手段に記録した対応する番組表情報によりタイマー録画を設定するステップとを有する
ことを特徴とする番組管理方法。
【発明の詳細な説明】
【０００１】
【発明の属する技術分野】
本発明は、番組管理装置及び番組管理方法に関し、例えばＡＶシステムに適用して、放送番組の特徴等を示す番組表情報に基づいて、今後放送される放送番組、現在放送中の放送番組、過去に記録した放送番組等を管理することにより、簡易な操作で、所望の番組を視聴できるようにする。
【０００２】
【従来の技術】
従来、テレビジョン放送を視聴するＡＶシステムにおいては、新聞等により提供される放送番組表に基づいてチャンネルを選択し、また場合によってはタイマー録画して後日視聴することにより、所望の番組を視聴できるようになされている。
【０００３】
このような放送システムにおいては、新聞、雑誌等の別メディアにより放送番組表をユーザーに通知し、また衛星放送等にあっては、時分割多重化等により放送番組表をユーザーに通知するようになされている。
【０００４】
【発明が解決しようとする課題】
ところでこのようにして放送番組表により所望の番組を選択する場合、結局、番組表に記載された種々の番組の中から所望の番組を発見し、現在放送中の番組についてはこの番組をチューナーにより選択し、また今後放送される番組についてはタイマー録画する必要がある。このときユーザーにおいては、番組表中の各番組について記載された限られた情報の中から、好みの番組を選択することになる。またこれに加えて、放送日時等を確認してタイマー録画をセットすることになり、結局、煩雑な作業を実行する必要がある。
【０００５】
また番組を録画する場合でも、磁気テープの本数が増大すると磁気テープの管理が煩雑になり、後日、所望の番組を簡易に視聴できなくなる。
【０００６】
このように今後放送される番組、現在放送中の番組、過去に録画した番組等を簡易に視聴することができれば、この種のＡＶシステムの使い勝手を向上することができ、便利であると考えられる。
【０００７】
本発明は以上の点を考慮してなされたもので、今後放送される番組、現在放送中の番組、過去に記録した番組等について、簡易な操作で、所望の番組を視聴することができる番組管理装置を提案しようとするものである。
【０００８】
【課題を解決するための手段】
かかる課題を解決するため請求項１の発明は、番組管理装置に適用して、放送番組を受信する受信手段と、前記受信手段で受信した前記放送番組を記録し、記録した放送番組を再生する記録再生手段と、前記受信手段で受信した前記放送番組、前記記録再生手段で再生された前記放送番組をユーザーに提供する番組提供手段と、少なくとも前記放送番組の特徴、放送チャンネル、放送時間を示す番組表情報を取得する番組表情報取得手段と、前記番組表情報取得手段で取得した前記番組表情報を記録して保持する番組表情報の記録手段と、各部の動作を制御する制御手段とを備え、前記制御手段は、ユーザーにより指示されたユーザー指示の放送番組の前記番組表情報により、前記番組表情報の記録手段に記録した番組表情報を検索して、前記ユーザー指示の放送番組と内容が連続する放送番組を検出し、前記ユーザー指示の放送番組を、該検出した連続する放送番組を選択するメニューと共に前記番組提供手段により表示し、前記メニューの選択により、該選択に係る放送番組を、前記記録再生手段より再生して前記番組提供手段により提供し、又は前記記録再生手段により記録するように前記番組表情報の記録手段に記録した対応する番組表情報によりタイマー録画を設定する。
また請求項５の発明は、放送番組を受信する受信手段と、前記受信手段で受信した前記放送番組を記録し、記録した放送番組を再生する記録再生手段と、前記受信手段で受信した前記放送番組、前記記録再生手段で再生された前記放送番組をユーザーに提供する番組提供手段と、少なくとも前記放送番組の特徴、放送チャンネル、放送時間を示す番組表情報を取得する番組表情報取得手段と、前記番組表情報取得手段で取得した前記番組表情報を記録して保持する番組表情報の記録手段と、各部の動作を制御する制御手段とを備えた番組管理装置における番組管理方法に適用して、ユーザーにより指示されたユーザー指示の放送番組の前記番組表情報により、前記番組表情報の記録手段に記録した番組表情報を検索して、前記ユーザー指示の放送番組と内容が連続する放送番組を検出する放送番組の検出ステップと、前記ユーザー指示の放送番組を、該検出した連続する放送番組を選択するメニューと共に前記番組提供手段により表示する表示のステップと、前記メニューの選択により、該選択に係る放送番組を、前記記録再生手段より再生して前記番組提供手段により提供し、又は前記記録再生手段により記録するように前記番組表情報の記録手段に記録した対応する番組表情報によりタイマー録画を設定するステップとを有するようにする。
ことを特徴とする番組管理方法。
【０００９】
請求項１又は請求項５の構成によれば、少なくとも各放送番組の特徴、放送チャンネル、放送時間を示す番組表情報によれば、放送番組の内容を主体にして、放送番組の選択をユーザーに委ねることができる。またこのときユーザーに対して、今後放送される放送番組、録画済の放送番組、現在放送中の放送番組等を意識させることなく、ユーザー指示の放送番組と内容が連続する放送番組を選択させて、これらの今後放送される放送番組等をユーザーに提供することができる。これによりこの番組表情報に基づいて受信する放送番組を管理して、ユーザーの好み等に応じて現在放送中の放送番組を受信して表示し、また今後放送される放送番組については、記録することもできる。また過去に記録した番組についても管理することができ、これらのことからユーザーの所望する放送番組を、簡易な操作により提供することができる。
【００１０】
【発明の実施の形態】
以下、適宜図面を参照しながら本発明の実施の形態を詳述する。
【００１１】
図２は、本発明の実施に係るＡＶシステムを示すブロック図である。このＡＶシステム１は、テレビジョン受像機２、ビデオテープレコーダ３及び４、ＡＶアンプ５をバスＢＵＳで接続して形成される。
【００１２】
ここでビデオテープレコーダ３及び４は、それぞれＡＶ制御モジュール３Ａ及び４Ａを介して、他の機器と間で制御コマンド、ステータスデータ等を入出力する。さらにビデオテープレコーダ３及び４は、メモリ３Ｂ、４Ｂにワークエリアを確保して、他の機器より入力される制御コマンドに応動してＡＶ制御モジュール３Ａ及び４Ａにより全体の動作を制御する。これによりビデオテープレコーダ３及び４は、例えばテレビジョン受像機２より制御して、録画、再生等の処理を実行できるようになされている。
【００１３】
ＡＶアンプ５は、同様に、ＡＶ制御モジュール５Ａを介して、他の機器との間で制御コマンド、ステータスデータ等を入出力する。さらにＡＶアンプ５は、メモリ５Ｂにワークエリアを確保して、他の機器より入力される制御コマンドに応動してＡＶ制御モジュール５Ａにより全体の動作を制御し、これにより例えばテレビジョン受像機２より制御して、所望の音量でスピーカ６を駆動できるようになされている。
【００１４】
テレビジョン受像機２は、リモコン７の操作に応動して動作を切り換え、また必要に応じてビデオテープレコーダ３、４に制御コマンドを発行する。これによりＡＶシステム１では、リモコン７を操作して全体の動作を切り換えることができるようになされている。なお各機器のＡＶ制御モジュール３Ａ、４Ａ、５Ａは、バスＢＵＳを介して、ビデオデータ等をも送受するようになされている。
【００１５】
図３は、このＡＶシステム１のリモコン７を示す平面図である。このリモコン７は、全体が略長方体形状に形成され、先端に赤外線送信部７Ａが配置されるようになされている。またリモコン７は、一定の角度だけ回転するとクリックするように形成されたロールスイッチ７Ｂが配置され、このロールスイッチ７Ｂの根元に決定の押圧操作子７Ｃが配置されるようになされている。これによりリモコン７は、テレビジョン受像機２の表示画面をモニタしながら、ロールスイッチ７Ｂを操作して所望のメニューを選択した後、決定の操作子７Ｃを押圧操作して、所望の番組を選択できるようになされている。
【００１６】
図４は、テレビジョン受像機２を示すブロック図である。このテレビジョン受像機２において、チューナー１０は、ＭＰＵ１１の制御により動作を切り換え、アンテナ１２の入力信号より所望のチャンネルを選局してビデオ信号及びオーディオ信号を出力する。このときチューナー１０は、ビデオ信号の垂直同期期間に介挿された番組表情報を復調してＭＰＵ１１に出力する。チューナー１３は、同様にＭＰＵ１１の制御により動作を切り換え、ケーブルテレビの番組を選局してビデオ信号及びオーディオ信号を出力する。このときチューナー１３は、ビデオ信号の垂直同期期間に介挿された番組表情報を復調してＭＰＵ１１に出力する。
【００１７】
通信モジュール１４は、同様に、ＭＰＵ１１の制御により動作を切り換え、通信ネットワークを介して伝送されるビデオデータ及びオーディオデータを復調して出力する。このとき通信モジュール１４は、ビデオデータ及びオーディオデータと共に時分割により伝送される番組表情報を受信して内部バスＢＵＳ１に出力する。これによりこのテレビジョン受像機２では、このテレビジョン受像機２で受信可能な各種番組について、この番組表情報より放送時間、番組内容等を受信できるようになされている。
【００１８】
映像処理モジュール１５は、ＭＰＵ１１の制御により動作を切り換え、チューナー１０、１３で受信したビデオ信号、通信モジュール１４より出力されるビデオデータにより陰極線管（ＣＲＴ）１６を駆動し、これによりこれらビデオ信号又はビデオデータによる映像を表示する。
【００１９】
リモコン受信モジュール１７は、リモコン７（図２）より送出された遠隔制御信号を受信し、対応する制御コマンドを内部バスＢＵＳ１に出力する。ＡＶ制御モジュール１８は、ＭＰＵ１１の制御により、バスＢＵＳに制御コマンドを発行し、またバスＢＵＳより入力されるステータスデータをＭＰＵ１１に出力する。タイマ１９は、ＭＰＵ１１の要求により現在時刻を通知する。
【００２０】
ハードディスク装置（ＨＤＤ）２０は、チューナー１０、１３、１４により取得された番組表情報を保持する。さらにハードディスク装置２０は、ＭＰＵ１１の制御により、この番組表情報を構成する番組情報をＭＰＵ１１に通知し、さらにこの番組情報より生成したライブラリー情報を保持する。またハードディスク装置２０は、このＡＶシステム１を操作するユーザー情報を保持する。
【００２１】
ここで図５に示すように、番組表情報は、このテレビジョン受像機２で受信可能な各番組の番組情報で構成される（図５（Ａ）及び（Ｂ））。また番組情報は、各番組の番組名、ジャンル情報、人的情報、タイマー録画情報、番組内容情報、付随情報で構成される（図５（Ｃ））。ここでこのテレビジョン受像機２において、番組情報は、通常の番組中及び番組間に放送されるコマーシャルについても、１つの番組として番組情報が規程されるようになされている。
【００２２】
番組名は、新聞等の放送番組欄に記載される各番組の名称が割り当てられる。ジャンル情報は、各番組の種別を示す情報が割り当てられ、ドラマ、アニメーション、ニュース、映画、コマーシャル等を識別できるようになされている。なおこのジャンル情報は、ドラマ、アニメーション等について、連続物か否かの識別情報が付加されるようになされている。さらに連続物については、放送曜日のデータ、放送回数の情報が付加され、これにより毎週何曜日に放送されるのか等を確認できるようになされている。
【００２３】
人的情報は、番組に関連した人物名が割り当てられ、ドラマ、映画にあっては、出演者、監督、脚本家等の人物名が、アニメーションにあっては、声優、監督、脚本家等の人物名が、ニュース等にあっては、司会者、出演者等の人物名が割り当てられるようになされている。
【００２４】
またタイマー録画情報は、放送開始日時、放送終了日時、放送チャンネルであるタイマー録画に必要な情報により構成される。これに対して番組内容情報は、番組内容を示す、テキスト情報、静止画情報又は番組予告に相当する短時間の動画情報が割り当てられれるようになされている。なおコマーシャルにあっては、人的情報に、会社名等が割り当てれるようになされている。付随情報は、放送日当日、放送時間が変更される可能性がある場合の番組について、これら番組の識別情報等が割り当てられる。
【００２５】
このようにして各種情報により構成される番組表情報は、番組名、ジャンル情報、人的情報等をそれぞれフィールドに設定して、各番組情報をレコードに設定したデータベースのデータ形式により形成される。さらに番組表情報は、各放送メディアより定期的に提供され、ハードディスク装置２０では、この定期的に提供された番組情報により内容が順次更新されるようになされている。これによりこのテレビジョン受像機２においては、図１に示すように、必要に応じてこの番組表情報のデータを検索してユーザーの所望する番組オブジェクトを簡易に選択できるようになされている（図１（Ａ）及び（Ｂ））。またこの検索に使用するクエリーの設定を切り換えて、例えばジャンル別、チャンネル別に受信する放送番組を管理できるようになされている（図１（Ｃ）及び（Ｄ））。
【００２６】
これに対してライブラリー情報は、ビデオテープレコーダ３、４で記録した番組の番組情報により構成される。ハードディスク装置２０は、ＭＰＵ１１の制御により、ビデオテープレコーダ３又は４で番組を録画すると、番組表情報より対応する番組情報をライブラリー情報に付加する。これによりテレビジョン受像機２では、録画した番組についても、番組表情報により示される番組と同様に、簡易に管理できるようになされている。
【００２７】
これに対してユーザー情報は、このＡＶシステム１を操作する各ユーザー名と、各ユーザーが過去に視聴した番組情報、各ユーザーの設定した好みのジャンル情報等により構成されるようになされている。これによりテレビジョン受像機２では、各ユーザーの好み、設定に従って、ユーザーの所望する番組を簡易に選択できるようになされている。
【００２８】
ＭＰＵ１１（図４）は、このＡＶシステム１全体の動作を制御する制御回路を構成し、メモリ２２にワークエリアを確保して、リードオンリメモリ（ＲＯＭ）２３、ハードディスク装置２０に格納した処理手順を実行することにより、ユーザーの操作に応動して所定のメニュー画面を表示し、またこのメニュー画面を更新してユーザーの所望する番組を表示する。
【００２９】
図６〜図１４は、ＭＰＵ１１の制御による表示画面の切り換えの説明に供する略線図である。ＭＰＵ１１は、電源が投入されると、テレビ番組選択の初期画面Ｖ０を表示する。なおＭＰＵ１１は、表示画面に配置された各メニューのイベントを実行することにより、以下に説明にする表示画面及び全体動作の切り換え処理を実行する。
【００３０】
すなわちＭＰＵ１１は、初期画面Ｖ０において、ユーザーがリモコン７のロールスイッチ７Ｂを操作して「Ｅｘｉｔ」のメニューを選択した後、決定の操作子７Ｃを押圧操作すると、表示画面Ｖ１を表示する。この表示画面Ｖ１において、ＭＰＵ１１は、電源をオフする旨のメッセージ「Ｐｏｗｅｒ  ｄｏｗｎ」を表示した後、電源を立ち下げる。
【００３１】
これに対してＭＰＵ１１は、番組選択を指示する「ｓｏｌｉｄ  ｗａｔｃｈ」のメニューが選択された後、決定の操作子７Ｃが操作されると、番組選択用の画面Ｖ２を表示する。ここでＭＰＵ１１は、この番組選択用の画面Ｖ２の中に子画面Ｕ２１を形成し、所定の時間間隔で現在放送中の番組を順次表示する。
【００３２】
このときＭＰＵ１１は、ハードディスク装置２０に格納したユーザー情報より、この番組選択用の画面Ｖ２における過去の選択記録を検出し、この検出した記録に基づいて放送番組のジャンルに選択頻度の順位を設定する。さらにＭＰＵ１１は、タイマ１９より現在時刻を取得し、番組表情報より現在放送中の番組情報を読み出し、設定したジャンルの順位に従って、この読み出した番組情報を選択の頻度の高いジャンル順に配列する。ＭＰＵ１１は、この配列した番組の順序に従って子画面Ｕ２１に現在放送中の番組を表示する。
【００３３】
このように所定の時間間隔で現在放送中の番組を表示した状態で、ユーザーが「Ｅｘｉｔ」のメニューを選択して決定の操作子７Ｃを操作すると、ＭＰＵ１１は、元の初期画面Ｖ０に表示画面を切り換える。これに対してユーザーが「ｓｅｌｅｃｔ」のメニューを選択して決定の操作子７Ｃを操作すると、ＭＰＵ１１は、子画面表示を中止し、それまで子画面Ｕ２１に表示していた番組を表示するように表示画面Ｖ３を切り換える。
【００３４】
これによりテレビジョン受像機２においては、番組表をいちいち確認しなくも、所望する番組を簡易に選択できるようになされている。なおこの表示画面Ｖ３において、ユーザーが決定の操作子７Ｃを押圧操作すると、ＭＰＵ１１は、表示画面を元の番組選択用の表示画面Ｖ２に切り換え、これにより必要に応じて改めてチャンネルを選択することができるようになされている。
【００３５】
これに対して初期画面Ｖ０において、ユーザーが「ｌｏｇｉｎ」のメニューを選択して決定の操作子７Ｃを操作すると、ＭＰＵ１１は、ユーザー別の番組選択用画面Ｖ４を表示する。ここでＭＰＵ１１は、画面の上部に、ユーザー名を問い合わせるメッセージ（「Ｗｈｏ  ａｒｅ  ｙｏｕ？」の表示）を表示し、その下段に、「Ｅｘｉｔ」、所定ユーザー名（この場合「ｕｓｅｒ  Ａ」の表示）、「Ｎｅｗ  Ｕｓｅｒ」のメニューを表示する。ここでユーザーが、「Ｅｘｉｔ」のメニューを選択して決定の操作子７Ｃを操作すると、ＭＰＵ１１は、表示画面を初期画面Ｖ０に切り換える。
【００３６】
これに対してユーザーが所定ユーザー名のメニューを選択して決定の操作子７Ｃを操作すると、ＭＰＵ１１は、図７に示すように、選択したユーザー個人用の番組選択画面Ｖ５を表示する。ＭＰＵ１１は、この番組選択画面Ｖ５において、個人用の番組選択画面であることを示す「Ｐｒｉｖａｔｅ  ＴＶ  Ｐｒｏｇｒａｍ」のメッセージを上部に表示し、この下側に、「Ｅｘｉｔ」、「Ｎｅｗ  Ｐｒｏｇｒａｍ」、「Ｌｉｂｒａｒｙ」のメニューを表示する。またこれらのメニューに続いて「ｍａｋｅ  ｆａｖｏｒｉｔｅ」のメニューを表示する。
【００３７】
ここでＭＰＵ１１は、ユーザーが「Ｅｘｉｔ」のメニューを選択して決定の操作子７Ｃを操作すると、元の表示画面Ｖ４に表示を切り換える。これに対してユーザーが「Ｎｅｗ  Ｐｒｏｇｒａｍ」のメニューを選択して決定の操作子７Ｃを操作すると、番組選択方法の問い合わせ画面Ｖ６を表示する。ここでこの問い合わせ画面Ｖ６において、ＭＰＵ１１は、番組選択方法の問い合わせ画面である旨のメッセージを画面上部に表示し、その下部に、「Ｅｘｉｔ」、「Ｃｈａｎｎｅｌ」、「Ｇｅｎｒｅ」のメニューを表示する。
【００３８】
この問い合わせ画面Ｖ６において、ユーザーが「Ｃｈａｎｎｅｌ」のメニューを選択して決定の操作子７Ｃを操作すると、ＭＰＵ１１は、チャンネル選択用の画面Ｖ７を表示する。ここでＭＰＵ１１は、選択可能なチャンネル番号をメニューにより表示してチャンネル選択用の画面Ｖ７を形成する。このチャンネル選択用の画面Ｖ７において、ユーザーが所望のチャンネルを選択して決定の操作子７Ｃを操作すると、ＭＰＵ１１は、このチャンネルの番組を子画面Ｕ８１により表示する。このときＭＰＵ１１は、ハードディスク装置２０の番組表情報を検索し、このユーザーの選択したチャンネルについて、現在放送中の番組名に加えて、以後放送される番組名（表示画面Ｖ８においては、「Ｐｒｏｇｒａｍ」により表示する）を子画面Ｕ８１に隣接して表示する。また併せて現在時刻、「Ｅｘｉｔ」のメニューを表示する。
【００３９】
この状態で、ユーザーがロールスイッチ７Ｂを操作して番組名を選択すると、ＭＰＵ１１は、現在放送中の番組名については、放送中の番組を子画面Ｕ８１に表示する。これに対して、以後放送される番組については、ハードディスク装置に記録された番組内容情報により、テキスト形式、静止画、予告編の動画像による番組内容を表示する。これによりテレビジョン受像機２では、現在放送中の番組、今後同一チャンネルで放送される番組を簡易に確認できるようになされている。
【００４０】
この表示画面Ｖ８において、ユーザーが現在放送中の番組を選択して決定の操作子７Ｃを押圧操作すると、ＭＰＵ１１は、子画面表示を中止し、現在表示中の番組を表示する（表示画面Ｖ９）。これによりテレビジョン受像機２は、通常のテレビジョン受像機の場合と同様に、チャンネルの指定によっても現在放送中の番組を選択できるようになされている。これに対して表示画面Ｖ８において、ユーザーが「Ｅｘｉｔ」のメニューを選択して決定の操作子７Ｃを押圧操作すると、ＭＰＵ１１は、元の表示画面Ｖ７を表示し、また表示画面Ｖ９において、決定の操作子７Ｃを操作すると、表示画面Ｖ８に表示を切り換える。
【００４１】
このようにして現在放送中の番組を表示する際に、ＭＰＵ１１は、ハードディスク装置２０に記録した番組表情報をアクセスし、ユーザーの選択した番組のジャンル情報より、ユーザーの選択した番組がいわゆる連続物が否か判定する。ここで所定の時刻に毎週放送される連続ドラマ、アニメーション等は、いわゆる連続物である。ここでユーザーの選択した番組が連続物の場合、ＭＰＵ１１は、一旦、図８に示す表示画面Ｖ１０を表示する。
【００４２】
この表示画面Ｖ１０において、ＭＰＵ１１は、他のメニューに比して浮き上がって見えるように、ユーザーの選択した番組名のメニューを表示する。さらに現在放送中の番組を選択するメニュー、現在放送中の番組に連続して今後放送される番組を選択するメニューを時系列により配列して表示する（「ｃｈｐ１」、「ｃｈｐ２」、「ｃｈｐ３」、「ｃｈｐ４」の表示）。また「Ｅｘｉｔ」に対応する矢印のメニューを表示する。さらにこれらのメニューの下部に、ウインドウＷ１を表示し、このウインドウＷ１中に、連続物である旨のメッセージを表示する。
【００４３】
さらにＭＰＵ１１は、ライブラリー情報をアクセスし、この連続物の番組について、過去にビデオテープレコーダ３、４により録画している場合は、この録画した番組についてもメニュー「ｃｈｐ１」等により表示する。なおこのメニュー「ｃｈｐ１」等の表示は、ロールスイッチ７Ｂの操作に応動して必要に応じてスクロールして表示されるようになされている。
【００４４】
これらの表示のうち、ユーザーが「Ｅｘｉｔ」に対応する矢印のメニューを選択して決定の操作子７Ｃを操作すると、ＭＰＵ１１は、元のメニュー画面Ｖ８に表示を切り換える。これに対して現在放送中の番組に対応するメニュー（図８においては「ｃｈｐ１」である）をユーザーが選択して決定の操作子７Ｃを操作すると、子画面表示を中止して現在放送中の番組を表示する（表示画面Ｖ９）。
【００４５】
これに対してユーザーが今後放送される番組のメニューを選択すると、ＭＰＵ１１は、ハードディスク装置２０に記録した番組表情報より、対応する番組のタイマー録画情報を読み出す。さらにＭＰＵ１１は、ビデオテープレコーダ３及び４に対してこの読み出したタイマー録画情報によるタイマー予約の有無を確認する。これによりＭＰＵ１１は、ユーザーの選択した番組が既にタイマー予約されているか否か判定し、既にタイマー予約している場合は、表示画面Ｖ１１を表示する。
【００４６】
この表示画面Ｖ１１において、ＭＰＵ１１は、既にタイマー予約されている旨のメッセージ「Ａｌｒｅａｄｙ  Ｒｅｓｅｒｖｅｄ」を上部に表示し、確認を促すメニュー「ＯＫ」、予約を取り消すメニュー「ｃａｎｃｅｌ」を表示する。図９に示すように、この表示画面Ｖ１１において、ユーザーが「ＯＫ」のメニューを選択して確認の操作子７Ｃを操作すると、ＭＰＵ１１は、これに応動する表示画面Ｖ１２を表示する。ここでＭＰＵ１１は、表示画面Ｖ１２の上部に、番組が予約されている旨のメッセージを表示する。さらに表示画面Ｖ１２にウインドウＷ３を形成し、このウインドウＷ３に予約されている番組名を表示すると共に、ライブラリー情報に基づいてユーザーが視聴していない表示可能な最新の番組名を表示する。
【００４７】
その後ＭＰＵ１１は、表示画面を切り換え（表示画面Ｖ１３）、表示画面Ｖ１２において表示した最新の番組を表示する。これによりテレビジョン受像機２では、番組名を基準にして、一連の番組を、過去の放送分の番組か、現在放送中の番組かを意識することなく視聴することができるようになされている。
【００４８】
これに対して表示画面Ｖ１１において、ユーザーが予約を取り消すメニュー「ｃａｎｃｅｌ」を選択して決定の操作子７Ｃを押圧操作すると、ＭＰＵ１１は、タイマー予約取り消しの確認画面Ｖ１４を表示する。この表示画面Ｖ１４において、決定の操作子７Ｃを操作してユーザーが取り消しを承認すると、ＭＰＵ１１は、対応する番組情報に基づいてビデオテープレコーダ３又は４に制御コマンドを発行し、対応するタイマー予約を取り消す。取り消しを完了すると、ＭＰＵ１１は、この表示画面Ｖ１４に取り消した旨のメッセージを表示し、ライブラリー情報に基づいてユーザーが視聴していない表示可能な最新の番組名を表示する。
【００４９】
その後ＭＰＵ１１は、表示画面を切り換え（表示画面Ｖ１３）、表示画面Ｖ１２において表示した最新の番組を表示する。これによりテレビジョン受像機２では、番組名を基準にして、設定したタイマー予約を取り消すことができるようになされ、その後一連の番組を、過去の放送分の番組か、現在放送中の番組かを意識することなく視聴することができるようになされている。
【００５０】
これに対して表示画面Ｖ１０において（図８）、ユーザーの選択した番組が今後放送される番組で、かつタイマー予約されていない場合、ＭＰＵ１１は、タイマー予約の確認画面Ｖ１５を表示する（図８及び図９）。
【００５１】
この表示画面Ｖ１５において、ＭＰＵ１１は、タイマー予約の有無を確認するメッセージを画面上部に表示し、その下部にタイマー予約する番組名を表示する。さらにその下部に、予約の有無を指定する「Ｙｅｓ」、「Ｎｏ」のメニューを表示する。この表示画面Ｖ１５において、ユーザーが「Ｙｅｓ」のメニューを選択して決定の操作子７Ｃを操作すると、ＭＰＵ１１は、対応する番組情報に基づいてビデオテープレコーダ３又は４に制御コマンドを発行し、ユーザーの選択した番組をタイマー予約する。続いてＭＰＵ１１は、表示画面Ｖ１２を表示した後、ライブラリー情報に基づいてユーザーが視聴していない表示可能な最新の番組を表示する（表示画面Ｖ１３）。これによりテレビジョン受像機２では、番組名を基準にして、タイマー予約し、またタイマー予約を取り消すことができるようになされ、その後一連の番組を、過去の放送分の番組か、現在放送中の番組かを意識することなく視聴することができるようになされている。
【００５２】
なおユーザーが直接過去に録画した番組を選択した場合、ＭＰＵ１１は、現在放送中の番組について、表示画面を切り換えて録画するか否か問い合わせし、ユーザーの設定操作に応動してこの現在放送中の番組を録画する。これによりテレビジョン受像機２では、一方のビデオテープレコーダ３又は４で過去の番組を再生しながら、他方のビデオテープレコーダ３又は４で現在放送中の番組を録画することになる。
【００５３】
これに対して表示画面Ｖ１５において、ユーザーが「Ｎｏ」のメニューを選択して決定の操作子７Ｃを操作すると、ＭＰＵ１１は、直接表示画面Ｖ１３を表示し、ライブラリー情報に基づいてユーザーが視聴していない表示可能な最新の番組を表示する。なおこの表示画面Ｖ１３を表示した状態で、ユーザーが確認の操作子７Ｃを操作すると、ＭＰＵ１１は、表示画面Ｖ１０に表示を切り換え、これにより改めて所望の番組を選択できるようになされている。
【００５４】
このような現在放送中の番組、今後放送される番組に代えて、表示画面Ｖ１０において、ビデオテープレコーダ３又は４で録画した過去の放送済み番組をユーザーが選択した場合、ＭＰＵ１１は、ライブラリー情報に基づいて、この番組を頭出しして表示する。このときＭＰＵ１１は、ビデオテープレコーダ３又４に装填された磁気テープのＩＤを基準にして、ビデオテープレコーダ３又４に装填された磁気テープが対応する番組を記録した磁気テープか否か判断し、必要に応じてユーザーに磁気テープの交換を指示する。
【００５５】
これによりテレビジョン受像機２では、現在放送中の番組、今後放送される番組に加えて、過去に放送された番組についても、一連の番組については、一元的に管理して所望の番組を簡易に視聴できるようになされている。
【００５６】
なおこの表示画面Ｖ１０の元の表示画面Ｖ８（図７）において、ユーザーが直接今後放送される番組を選択した場合、ＭＰＵ１１は、同様に、このユーザーの選択した番組が連続物か否か判断し、連続物でない場合、直接タイマー予約の表示画面Ｖ１５（図９）を表示する。さらにこの表示画面Ｖ１５において、タイマー録画の有無を受け付けた後、元の表示画面Ｖ８に戻る。
【００５７】
これに対して表示画面Ｖ８において、ユーザーの選択した番組が連続物の場合、上述した現在放送中でかつ連続物の番組を選択した場合と同様に、順次表示画面を切り換え、またユーザーの操作に応じて、タイマー録画の有無を受け付けた後、現在表示可能な最新の番組を表示する（表示画面Ｖ１３）。なおこの場合に、例えば連続ドラマの第１回目が未だ放送されていないような場合、現在表示可能な最新の番組が存在しないことにより、ＭＰＵ１１は、表示画面Ｖ１３に表示を切り換えることなく、その旨のメッセージを表示した後、元の表示画面Ｖ８を表示する。これによりテレビジョン受像機２では、未だ放送を開始されていない連続物等についても、簡易な操作でタイマー録画できるようになされている。
【００５８】
これに対して番組選択方法の問い合わせ画面Ｖ６（図７）において、ユーザーが「Ｇａｎｒｅ」のメニューを選択して決定の操作子７Ｃを操作すると、図１０に示すように、ＭＰＵ１１は、ジャンルの選択画面Ｖ２０を表示する。ここでＭＰＵ１１は、このジャンルの選択画面Ｖ２０において、ジャンルの選択を促すメッセージを上部に表示し、その下部に、「Ｅｘｉｔ」のメニュー、各ジャンルを示すメニュー（この場合「Ｎｅｗｓ」、「Ｓｐｏｒｔｓ」のメニューである）を表示する。なおこのジャンルのメニューは、番組情報のジャンル情報に対応し、他にドラマ、アニメーション等のメニューが用意され、ＭＰＵ１１は、ロールスイッチ７Ｂの操作に応動してこれらのメニューをスクロール表示する。
【００５９】
このときＭＰＵ１１は、ハードディスク装置２０に記録された対応するユーザーの過去の視聴記録より、視聴頻度の高い順に、ジャンルのメニューを表示し、これにより使い勝手を向上する。
【００６０】
このジャンルの選択画面Ｖ２０において、ユーザーが「Ｅｘｉｔ」のメニューを選択して決定の操作子７Ｃを操作すると、ＭＰＵ１１は、元の表示画面Ｖ６に表示を切り換える。これに対してジャンルの選択画面Ｖ２０において、ユーザーが所望のジャンルを選択して決定の操作子７Ｃを操作すると、ＭＰＵ１１は、番組表情報より対応するジャンルの番組を選択する。さらにＭＰＵ１１は、この選択した番組より現在放送中の番組、今後放送される番組を選択し、この番組を図７について上述した表示画面Ｖ８と同一形態により表示し、また表示画面を切り換える。
【００６１】
これによりテレビジョン受像機２においては、ユーザーの所望するジャンルの番組について一元的に管理して、簡易な操作により、現在放送中の番組については直接視聴し、また今後放送される番組についてはタイマー予約できるようになされている。また連続ドラマ等にあっては、過去に録画した番組について、簡易に視聴できるようになされている。
【００６２】
このようにしてユーザーの選択したジャンルの番組名を表示する際に、ＭＰＵ１１は、ユーザー情報に基づいて、事前に設定されたユーザーの好みの順に、放送中の番組、今後放送される番組を表示する。これによりテレビジョン受像機２では、ユーザーの所望する番組を簡易に視聴できるようになされている。
【００６３】
これに対して個人ユーザー用の番組選択用画面Ｖ５において（図７）、ユーザーが「Ｌｉｂｒａｒｙ」のメニューを選択して決定の操作子７Ｃを操作すると、ＭＰＵ１１は、表示画面Ｖ６においてジャンルのメニューが選択操作された場合と同一の表示画面Ｖ２０を表示する（図１０）。この表示画面Ｖ２０において、ユーザーが「Ｅｘｉｔ」のメニューを選択して決定の操作子７Ｃを操作すると、ＭＰＵ１１は、元の表示画面Ｖ５に表示を切り換える。
【００６４】
これに対してジャンルの選択画面Ｖ２０において、ユーザーが所望のジャンルを選択して決定の操作子７Ｃを操作すると、ＭＰＵ１１は、ライブラリー情報より対応するジャンルの番組を選択し、これによりユーザーの選択したジャンルについて、過去に録画した番組を選択する。さらにＭＰＵ１１は、この選択した番組を図７について上述した表示画面Ｖ８と同一形態により表示し、また表示画面を切り換える。
【００６５】
これによりテレビジョン受像機２では、過去に録画した貴重なライブラリーについても、現在放送中の番組、今後放送される番組と同様に管理して、これらのライブラリーを簡易に視聴できるようになされている。
【００６６】
これに対して個人ユーザー用の番組選択用画面Ｖ５において（図７）、ユーザーが「ｍａｋｅ  ｆａｖｏｒｉｔｅ」のメニューを選択して決定の操作子７Ｃを操作すると、ＭＰＵ１１は、図１１に示すように、ユーザー名の選択画面Ｖ２２を表示する。ここでＭＰＵ１１は、ユーザー名の選択を促すメッセージを上部に表示し、事前に登録したユーザー名のメニュー（図１１においては、「ｆａｔｈｅｒ」、「ｍｏｔｈｅｒ」、「ｂｒｏｔｈｅｒ」である）を表示する。
【００６７】
この表示画面Ｖ２３において、ユーザーが何れかのメニューを選択して決定の操作子７Ｃを操作すると、ＭＰＵ１１は、確認を促す表示画面Ｖ２２を表示する。ＭＰＵ１１は、この表示画面Ｖ２３において、画面上部に、確認を促すメッセージを表示する。また続いてウインドウＷ５を表示し、ここに確認を促す詳細なメッセージを表示する。さらに続いて、「Ｙｅｓ」、「Ｎｏ」のメニューを表示する。
【００６８】
この表示画面Ｖ２３において、ユーザーが「Ｎｏ」のメニューを選択して決定の操作子７Ｃを操作すると、ＭＰＵ１１は、元の表示画面Ｖ２２に表示を切り換えるのに対し、ユーザーが「Ｙｅｓ」のメニューを選択して決定の操作子７Ｃを操作すると、好みの設定画面Ｖ２４に切り換える。この設定画面Ｖ２４において、ＭＰＵ１１は、好みの設定を促すメッセージを上部に表示し、その下部に「Ｅｘｉｔ」のメニュー、ジャンルのメニュー「Ｄｒａｍａ」、「Ｓｐｏｒｔｓ」を表示し、さらに続いて「Ａｕｔｏ  ｓｅｔ  ｕｐ」のメニューを表示する。ここでジャンルのメニューにおいては、番組情報のジャンルに対応し、ＭＰＵ１１は、他のニュース等のメニューについては、ロールスイッチ７Ｂの操作に応動してスクロール表示するようになされている。
【００６９】
この好みの設定画面Ｖ２４において、ユーザーが「Ｅｘｉｔ」のメニューを選択して決定の操作子７Ｃを操作すると、ＭＰＵ１１は、セットアップを完了したか否かの問い合わせの画面Ｖ２５を表示する。この問い合わせの画面Ｖ２５で、ユーザーが「Ｙｅｓ」のメニューを選択して決定の操作子７Ｃを操作すると、ＭＰＵ１１は、初期の画面Ｖ５に表示を切り換える。これに対して問い合わせの画面Ｖ２５で、ユーザーが「Ｎｏ」のメニューを選択して決定の操作子７Ｃを操作すると、ＭＰＵ１１は、問い合わせの画面Ｖ２５に戻る。
【００７０】
また好みの設定画面Ｖ２４において、ユーザーが「Ａｕｔｏ  ｓｅｔ  ｕｐ」のメニューを選択して決定の操作子７Ｃを操作すると、ＭＰＵ１１は、自動的に好みを設定した後、問い合わせの画面Ｖ２５を表示する。この好みの設定において、ＭＰＵ１１は、このユーザーのユーザー情報をアクセスし、このユーザーが過去に視聴した番組のジャンル情報、各ジャンルの人的情報を検出する。これによりＭＰＵ１１は、このユーザーが何れのジャンルを多く視聴し、また各ジャンルにおいて何れの人物（コマーシャルにおいては、提供会社名を含む）に関連する番組を多く視聴しているか検出し、この検出結果を好みに設定する。
【００７１】
かくして自動的に好みを設定すると、ＭＰＵ１１は、表示画面Ｖ２５において、ユーザーの操作を受け付け、続く表示画面を表示する。
【００７２】
これに対して好みの設定画面Ｖ２４において、ユーザーが所望のジャンルを選択して決定の操作子７Ｃを操作すると、ＭＰＵ１１は、図１２に示すように、個々の好み設定画面Ｖ２７に移る。この設定画面Ｖ２７において、ＭＰＵ１１は、画面のタイトルを上部に表示し、その下に「Ｅｘｉｔ」、「Ｔｉｔｌｅ」、「Ａｃｔｏｒ」のメニューを表示する。なお好みの設定項目は、この他にも監督等のメニューが用意され、ＭＰＵ１１は、ロールスイッチ７Ｂの操作に応動してこれらのメニューをスクロール表示するようになされている。
【００７３】
この設定画面Ｖ２５において、ユーザーが「Ｔｉｔｌｅ」のメニューを選択して決定の操作子７Ｃを操作すると、ＭＰＵ１１は、番組表情報よりユーザーの選択したジャンルの番組を検出し、曜日を単位にした表形式により検出した番組を表示する（表示画面Ｖ２８）。これによりＭＰＵ１１は、ユーザーが好みの番組を選択すると、この好みの番組をユーザー情報に登録し、ユーザーが「Ｅｘｉｔ」のメニューを選択して決定の操作子７Ｃを操作すると、元の画面Ｖ２７に戻る。これによりテレビジョン受像機２では、ユーザーの好みを番組のタイトルにより設定し、この好みに応じた番組を簡易に選択視聴できるようになされている。
【００７４】
これに対して設定画面Ｖ２７において、ユーザーが「Ａｃｔｏｒ」のメニューを選択して決定の操作子７Ｃを操作すると、ＭＰＵ１１は、好みの俳優の選択画面Ｖ２９に移る。この設定画面Ｖ２９において、ＭＰＵ１１は、画面のタイトルを上部に表示し、その下部に「Ｅｘｉｔ」のメニューを表示する。さらに左端にアルファベットを配置した俳優の一覧表を表示する。ここでＭＰＵ１１は、ユーザーが「Ｅｘｉｔ」のメニューを選択して決定の操作子７Ｃを操作すると、元の画面Ｖ２７に戻る。これに対して図１３に示すように、何れかのアルファベットを選択すると（表示画面Ｖ３０）、番組表情報に記載された各番組の人的情報より、ユーザーの選択したアルファベットで開始する俳優名を検出する。さらにこの検出した俳優名をアルファベットの脇に、縦に並べて表示する（表示画面Ｖ３１）。
【００７５】
この状態で、ユーザーがロールスイッチ７Ｂを操作して何れかの俳優名を選択した後、決定の操作子７Ｃを操作すると、ＭＰＵ１１は、この俳優名の表示背景色を切り換える（表示画面Ｖ３２）。このときＭＰＵ１１は、決定の操作子７Ｃが繰り返し押圧操作されると、背景色の切り換えを循環する。これによりＭＰＵ１１は、この背景色を切り換えた俳優名をユーザーの好みの俳優名としてユーザー情報に登録する。またこの表示画面Ｖ３２において、ユーザーが「Ｅｘｉｔ」のメニューを選択して決定の操作子７Ｃを操作すると、セットアップを完了したか否かの問い合わせ画面Ｖ３３を表示し、この画面Ｖ３３で「Ｎｏ」のメニューが選択されると、ＭＰＵ１１は、元の表示画面Ｖ２９に移る。
【００７６】
これに対して画面Ｖ３３で「Ｙｅｓ」のメニューが選択されると、ＭＰＵ１１は、セットアップの開始画面Ｖ２４に表示を切り換える。なお各俳優の選択画面Ｖ３０、Ｖ３１において、同様に、ユーザーが「Ｅｘｉｔ」のメニューを選択して決定の操作子７Ｃを操作すると、ＭＰＵ１１は、セットアップの完了問い合わせ画面Ｖ３３に表示を切り換える。また表示画面Ｖ２７（図１２）において、他の監督等のメニューをユーザーが選択した場合、ＭＰＵ１１は、好みの俳優を選択する場合と同様にメニュー画面を切り換え、これによりユーザーにより各種の好みの設定を受け付ける。
【００７７】
これによりテレビジョン受像機２では、このようにして設定した各ユーザーの好みに従って、現在放送中の番組、今後放送される番組、過去に放送された番組を一元的に管理して、ユーザーの所望する番組を簡易に視聴できるようになされている。
【００７８】
これに対してユーザー名の選択画面Ｖ４（図７）において、ユーザーが「ｎｅｗ  ｕｓｅｒ」のメニューを選択して決定の操作子７Ｃを操作すると、ＭＰＵ１１は、図１４に示すようにユーザー名の入力画面Ｖ３６に表示を切り換える。この表示画面Ｖ３６において、ＭＰＵ１１は、ユーザー名の入力を促すメッセージを上部に表示し、その下部にアルファベットのボタンを表示する。この表示画面Ｖ３６において、ユーザーが順次アルファベットを選択してユーザー名を入力した後、「ＯＫ」のメニューを選択して決定の操作子７Ｃを操作すると、ＭＰＵ１１は、確認の表示画面Ｖ３７を表示する。
【００７９】
この表示画面Ｖ３７において、ＭＰＵ１１は、確認を促すメッセージを上部に表示し、その下部のウインドウＷ６に入力されたユーザー名を表示する。さらにその下部に、「Ｙｅｓ」、「Ｎｏ」のメニューを表示する。この表示画面において、ユーザーが「Ｎｏ」のメニューを選択して決定の操作子７Ｃを操作すると、ＭＰＵ１１は、元の入力画面Ｖ３６に表示を切り換える。これに対して、ユーザーが「Ｙｅｓ」のメニューを選択して決定の操作子７Ｃを操作すると、ＭＰＵ１１は、表示画面を切り換え、名前を登録した旨表示する（表示画面Ｖ３８）。さらにＭＰＵ１１は、所定期間経過後、元の表示画面Ｖ４を表示する。なおＭＰＵ１１は、この表示画面Ｖ３８のウインドウＷ３８に登録したユーザー名を表示する。このときＭＰＵ１１は、この入力されたユーザー名をユーザー情報に付加する。
【００８０】
テレビジョン受像機２では、このようにしてユーザー名を登録した後、好みを設定してユーザー情報を構築することにより、ユーザー毎に、各ユーザーの好みに応じた番組を提供できるようになされ、その分簡易な操作で所望の番組を視聴できるようになされている。
【００８１】
かくしてＭＰＵ１１は、このようにしてユーザーに現在放送中の番組を提供すると、またユーザーが選択した番組を録画すると、番組表情報より対応する番組情報を選択し、この選択した情報をライブラリー情報に付加する。
【００８２】
以上の構成において、このＡＶシステム１は、放送番組を受信している際に、チューナー１０、１３を介して受信されるビデオ信号に重畳された番組表情報、通信モジュール１４を介して受信されるビデオデータに多重化された番組表情報がＭＰＵ１１で取得され、ハードディスク装置２０に蓄積される（図１、図４〜図６）。またこの番組表情報を構成する番組情報に基づいて所定の表示画面が表示され、この表示画面に対応するユーザーの操作により、ユーザー毎に、ユーザーの好みが設定され、このユーザーの好み等がユーザー情報としてハードディスク装置２０に蓄積される。さらにユーザーが視聴した番組については、番組表情報の対応する番組情報がライブラリー情報としてハードディスク装置２０に蓄積される。
【００８３】
このようにしてハードディスク装置２０に情報が蓄積されるように設定されたテレビジョン受像機２において、電源が立ち上げられると、ＭＰＵ１１の制御によりテレビジョン受像機２の陰極線管１６に所定の初期画面Ｖ０が表示される（図１、図２、図３及び図６）。この初期画面Ｖ０において、リモコン７の操作により、ユーザーが番組選択用の画面Ｖ２を選択して決定の操作子７Ｃを操作すると、テレビジョン受像機２は、ユーザーの好みに従った順序で、現在放送中の番組が所定の時間間隔で順次子画面表示され（表示画面Ｖ２）、所望の番組が子画面表示された状態で決定の操作子７Ｃを操作することにより、子画面表示された番組の視聴を開始することができる。
【００８４】
これに対して初期画面Ｖ０において、「ｌｏｇｉｎ」のメニューをユーザーが選択すると、テレビジョン受像機２は、ユーザー名の選択画面Ｖ４が表示され、ここでユーザーがユーザー名を選択すると、個人用の番組選択画面Ｖ５が表示される。この番組選択画面Ｖ５において、ユーザーが新規番組のメニューを選択すると、番組選択用の画面Ｖ６が表示され、ここでチャンネルのメニューを選択すると、チャンネル選択の画面Ｖ７が表示される。これによりテレビジョン受像機２は、通常のテレビジョン受像機と同様に、チャンネルを選択して所望の番組を受信することができる。
【００８５】
このときテレビジョン受像機２は、ユーザーの選択したチャンネルについて、現在放送中の番組と、今後放送される番組とを併せて表示し、またこれらの番組内容を子画面表示する（表示画面Ｖ８）。このとき今後放送される番組については、番組情報に割り当てられた番組内容情報により、テキスト表示、静止画、又は予告の動画により番組内容を子画面表示する。また今後放送される番組について、ユーザーがメニューを選択すると、タイマー予約の設定画面が表示され、ユーザーの選択操作に応動してタイマー予約される。
【００８６】
これによりテレビジョン受像機では、現在放送中の番組を選択する感覚で、今後放送される番組についても視聴することができる。
【００８７】
さらにこのとき、ユーザーが連続物の番組を選択した場合、ライブラリー情報及び番組表情報に基づいて、過去に録画した番組、現在放送中の番組、今後放送される番組の一覧が表示され（表示画面Ｖ１０、図８）、ユーザーが過去に録画した番組を選択した場合、ビデオテープレコーダ３又４の再生により過去の番組が再生され、ユーザーの了解を得て、現在放送中の番組が録画される。またユーザーが現在放送中の番組を選択した場合、この番組が表示されるのに対し、今後放送される番組を選択した場合、この番組のタイマー予約画面が表示される。
【００８８】
これによりテレビジョン受像機２では、過去に録画した番組、現在放送中の番組、今後放送される番組について、一元的に管理してユーザーの所望する番組を提供することができる。
【００８９】
これに対してユーザーが番組選択用の画面Ｖ６において、ジャンルのメニューを選択すると、テレビジョン受像機２は、ＭＰＵ１１がユーザー情報をアクセスし、対応する個人ユーザーの好みに応じた順序で、放送番組のジャンルが表示される（表示画面Ｖ２０、図１０）。ここでユーザーが所望のジャンルを選択すると、テレビジョン受像機２は、現在放送中の番組のメニューが表示され、また子画面により番組内容が順次紹介される。
【００９０】
このときテレビジョン受像機２は、ユーザーの設定した好みに従って、例えばユーザーの好む俳優の出演する放送番組が優先的に表示され、これにより番組名を選択して所望の番組を視聴することができる。さらにこの場合においても、ユーザーの選択した番組が連続物の場合、テレビジョン受像機２は、ライブラリー情報、番組表情報に基づいて、現在放送中の番組、過去に録画した番組、今後放送される番組のメニューを表示する。さらにこれらメニューの選択に応動して過去の番組を表示し、また現在放送中の番組を録画し、今後放送される番組をタイマー予約する。
【００９１】
これによりテレビジョン受像機２は、現在放送中の番組、過去に録画した番組、今後放送される番組を一元的に管理すると共に、ユーザーの好みに応じてこれらの番組をユーザーに提供し、その分使い勝手を向上する。
【００９２】
これに対して番組選択用画面Ｖ５において、ユーザーが「Ｌｉｂｒａｒｙ」のメニューを選択すると、テレビジョン受像機２は、ユーザーがジャンルのメニューを選択した場合と同一の表示画面Ｖ２０を表示する（図１０）。さらにこの表示画面Ｖ２０において、ユーザーが好みのジャンルを選択すると、この場合はライブラリー情報より、過去に録画した番組の対応するジャンルの番組名が表示され、さらに各番組内容が子画面により表示される。これによりテレビジョン受像機２では、所望の番組名を選択して過去に録画した番組を視聴することができる。
【００９３】
この過去に視聴した番組を選択する場合においても、この番組が連続物の場合、テレビジョン受像機２は、ライブラリー情報、番組表情報に基づいて、現在放送中の番組、過去に録画した番組、今後放送される番組のメニューを表示する。さらにこれらメニューの選択に応動して過去の番組を表示し、また現在放送中の番組を録画し、今後放送される番組をタイマー予約する。
【００９４】
これらのことからテレビジョン受像機２では、ユーザー側にて今後放送される番組、現在放送中の番組等を意識することなく、簡易な操作で、好みの番組を漏らすことなく視聴することができる。
【００９５】
このようにして一元的に管理して、かつユーザーの好みに応じて番組提供するテレビジョン受像機２は、番組選択用画面Ｖ５において、ユーザーが好み設定のメニューを選択すると（図１１）、好みを設定するユーザー名の選択画面Ｖ２２に移り、ここでユーザー名を選択すると、確認の画面Ｖ２３を経た後、好みの設定画面Ｖ２４を表示する。ここでユーザーが自動設定のメニューを選択すると、テレビジョン受像機２は、ユーザー情報より、過去にこのユーザーが視聴した番組情報が検出され、検出した番組情報より、このユーザーが何れのジャンルを多く視聴し、また何れの主演者等が出演している番組を多く視聴しているかが検出される。これによりテレビジョン受像機２では、このユーザーの過去の履歴に基づいてユーザーの好みが設定され、この好みに応じて以後、ユーザーの好みの番組を優先的に提供する。
【００９６】
これに対してユーザーがジャンルを選択すると（図１２）、ジャンルに対応するメニュー画面が表示され、ここでユーザーがメニューを選択すると、選択したメニューに関して好みの設定画面Ｖ２９を表示する。この場合に例えばユーザーがドラマのジャンルを選択した後、俳優のメニューを選択すると（図１３）、テレビジョン受像機２は、番組情報より出演俳優名、出演女優名を選択してアルファベット順に表示し、ここでユーザーの選択した俳優名、女優名を好みの出演者としてユーザー情報に登録する。これによりテレビジョン受像機２は、以後、この登録された好みの出演者の出演する番組を優先的にユーザーに提供し、ユーザーの所望する番組を簡易な操作で視聴できるようになされている。
【００９７】
以上の構成によれば、ビデオ信号に重畳されて伝送される番組表情報、ビデオデータに介挿されて伝送される番組表情報に基づいて、現在放送中の番組、今後放送される番組、過去に録画した番組を管理することにより、いちいち新聞等の番組表で放送番組を確認しなくても、所望する番組を簡易な操作で視聴することができる。
【００９８】
またこのときユーザーの好みの番組を優先して提供することにより、ユーザーの所望する番組をさらに一段と簡易な操作により提供することができる。
【００９９】
なお上述の実施の形態においては、放送番組と共に番組表情報の提供を受け付ける場合について述べたが、本発明はこれに限らず、例えばフロッピディスク等の記録媒体により、さらには電話サービス等により番組表情報を取得する場合にも広く適用することができる。
【０１００】
また上述の実施の形態においては、テレビジョン受像機２によりＡＶシステム１の全体動作を制御する場合について述べたが、本発明はこれに限らず、ビデオテープレコーダ、ＡＶアンプ等により制御しても良く、さらにはＡＶシステムにコンピュータを接続するような場合には、このコンピュータにより制御してもよい。
【０１０１】
さらに上述の実施の形態においては、２台のビデオテープレコーダ、１台のＡＶアンプ、１台のテレビジョン受像機により構成されるＡＶシステムに本発明を適用する場合について述べたが、本発明はこれに限らず、種々の機器によりＡＶシステムを構成する場合に広く適用することができる。
【０１０２】
また上述の実施の形態においては、テレビジョン放送を受信するシステムに本発明を適用する場合について述べたが、本発明はこれに限らず、例えばＦＭ放送の受信装置にも適用することができる。
【０１０３】
【発明の効果】
上述のように本発明によれば、放送番組の特徴等を示す番組表情報に基づいて、今後放送される放送番組、現在放送中の放送番組等を管理することにより、所望の番組を簡易な操作で視聴することができる。
【図面の簡単な説明】
【図１】本発明の実施の形態に係るＡＶシステムにおける番組管理の説明に供する略線図である。
【図２】本発明の実施の形態に係るＡＶシステムを示すブロック図である。
【図３】図２のリモコンを示す平面図である。
【図４】図２のテレビジョン受像機を示すブロック図である。
【図５】番組表情報の説明に供する略線図である。
【図６】表示画面の切り換えの説明に供する略線図である。
【図７】図６に示す表示画面において特定ユーザーのメニューを選択した場合の表示画面の切り換えの説明に供する略線図である。
【図８】選択された番組が連続物の場合の表示画面の切り換えの説明に供する略線図である。
【図９】放送番組をタイマー予約する場合の表示画面の切り換えの説明に供する略線図である。
【図１０】過去に録画した番組を選択する場合の表示画面の切り換えの説明に供する略線図である。
【図１１】好みの設定における表示画面の切り換えの説明に供する略線図である。
【図１２】ジャンルを選択して好みを設定する場合の表示画面の切り換えの説明に供する略線図である。
【図１３】好みの俳優を選択する場合の表示画面の切り換えの説明に供する略線図である。
【図１４】新規ユーザー名の登録における表示画面の切り換えの説明に供する略線図である。
【符号の説明】
１……ＡＶシステム、２……テレビジョン受像機、３、４……ビデオテープレコーダ、３Ａ、４Ａ、５Ａ、１８……ＡＶ制御モジュール、３Ｂ、４Ｂ、５Ｂ、２２……メモリ、５……ＡＶアンプ、７……リモコン、１１……ＭＰＵ、２６……陰極線管、２０……ハードディスク装置
【図１】
0003823422.tif 000002
【図２】
0003823422.tif 000003
【図３】
0003823422.tif 000004
【図４】
0003823422.tif 000005
【図５】
0003823422.tif 000006
【図６】
0003823422.tif 000007
【図７】
0003823422.tif 000008
【図８】
0003823422.tif 000009
【図９】
0003823422.tif 000010
【図１０】
0003823422.tif 000011
【図１１】
0003823422.tif 000012
【図１２】
0003823422.tif 000013
【図１３】
0003823422.tif 000014
【図１４】
0003823422.tif 000015